Podtech/llm-jp-corpus-v4-ja_patent huggingface dataset:
【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
コンピューティングデバイス上でテキスト要素と、非テキスト要素とを含む図の手描きを導くためのシステムであって、
前記コンピューティングデバイスは、プロセッサと、前記プロセッサの制御下で入力された手描き図要素を検出及び認識するための少なくとも１つの非一時的コンピュータ可読媒体とを備え、前記少なくとも１つの非一時的コンピュータ可読媒体は、
前記コンピューティングデバイスのインタラクティブディスプレイ上に、非テキストの手描き図要素のデジタルインク上に重ね合わせられた前記非テキストの手描き図要素の認識された形態を表示させ、前記非テキストの手描き図要素の前記認識された形態は、前記非テキストの手描き図要素の前記デジタルインクの幾何学的特徴を模倣し、前記非テキストの手描き図要素の前記認識された形態の幾何学的特徴の修正を可能にし、
前記非テキストの手描き図要素の少なくとも１つの描写を動的に表示する動的プロンプタを表示させ、前記動的プロンプタは、前記非テキストの手描き図要素の前記認識された形態および前記非テキストの手描き図要素の幾何学的に類似の異形で構成される、
ように構成される、システム。
【請求項２】
前記動的プロンプタは、手書きが入力されるにつれ、テキストの手描き図要素の少なくとも１つの描写を動的に表示する、請求項１に記載のシステム。
【請求項３】
前記動的プロンプタは、少なくとも１つのインタラクティブプロンプタ要素を含み、前記少なくとも１つの非一時的コンピュータ可読媒体は、前記少なくとも１つのインタラクティブプロンプタ要素とのインタラクションを受け取ることに応答してアクションメニューを表示するように構成される、請求項１に記載のシステム。
【請求項４】
前記少なくとも１つの非一時的コンピュータ可読媒体は、アイコン形態で非テキスト要素の前記描写を表示するように構成される、請求項１に記載のシステム。
【請求項５】
前記非テキスト要素は、前記図の形状要素であり、前記アイコンは、前記形状を描写する、請求項４に記載のシステム。
【請求項６】
前記少なくとも１つの非一時的コンピュータ可読媒体は、活字組みのインクにおいてテキスト要素の前記描写を表示するように構成される、請求項１に記載のシステム。
【請求項７】
コンピューティングデバイス上でテキスト要素と、非テキスト要素とを含む図の手描きを導くための方法であって、
前記コンピューティングデバイスは、プロセッサと、前記プロセッサの制御下で入力された手描き図要素を検出及び認識するための少なくとも１つの非一時的コンピュータ可読媒体とを備え、前記方法は、
前記コンピューティングデバイスのインタラクティブディスプレイ上に、非テキストの手描き図要素のデジタルインク上に重ね合わせられた前記非テキストの手描き図要素の認識された形態を表示するステップであって、前記非テキストの手描き図要素の前記認識された形態は、前記非テキストの手描き図要素の前記デジタルインクの幾何学的特徴を模倣し、前記非テキストの手描き図要素の前記認識された形態の幾何学的特徴の修正を可能にする、ステップと、
前記非テキストの手描き図要素の少なくとも１つの描写を動的に表示する動的プロンプタを表示するステップであって、前記動的プロンプタは、前記非テキストの手描き図要素の前記認識された形態および前記非テキストの手描き図要素の幾何学的に類似の異形で構成される、ステップと
を含む方法。
【請求項８】
前記動的プロンプタは、手書きが入力されるにつれ、テキストの手描き図要素の少なくとも１つの描写を動的に表示する、請求項７に記載の方法。
【請求項９】
前記動的プロンプタは、少なくとも１つのインタラクティブプロンプタ要素を含み、前記少なくとも１つの非一時的コンピュータ可読媒体は、前記少なくとも１つのインタラクティブプロンプタ要素とのインタラクションを受け取ることに応答してアクションメニューを表示するように構成される、請求項７に記載の方法。
【請求項１０】
アイコン形態で非テキスト要素の前記描写を表示するステップを含む、請求項７に記載の方法。
【請求項１１】
前記非テキスト要素は、前記図の形状要素であり、前記アイコンは、前記形状を描写する、請求項１０に記載の方法。
【請求項１２】
活字組みのインクにおいてテキスト要素の前記描写を表示するステップを含む、請求項７に記載の方法。
【請求項１３】
コンピュータ可読プログラムコードを有する非一時的コンピュータ可読媒体であって、
前記コンピュータ可読プログラムコードは、コンピューティングデバイス上でテキスト要素と、非テキスト要素とを含む図の手描きを導くための方法を実行するように構成され、前記コンピューティングデバイスは、プロセッサと、前記プロセッサの制御下で入力された手描き図要素を検出及び認識するための少なくとも１つの非一時的コンピュータ可読媒体とを備え、前記方法は、
前記コンピューティングデバイスのインタラクティブディスプレイ上に、非テキストの手描き図要素のデジタルインク上に重ね合わせられた前記非テキストの手描き図要素の認識された形態を表示するステップであって、前記非テキストの手描き図要素の前記認識された形態は、前記非テキストの手描き図要素の前記デジタルインクの幾何学的特徴を模倣し、前記非テキストの手描き図要素の前記認識された形態の幾何学的特徴の修正を可能にする、ステップと、
前記非テキストの手描き図要素の少なくとも１つの描写を動的に表示する動的プロンプタを表示するステップであって、前記動的プロンプタは、前記非テキストの手描き図要素の前記認識された形態および前記非テキストの手描き図要素の幾何学的に類似の異形で構成される、ステップと
を含む非一時的コンピュータ可読媒体。
【請求項１４】
前記動的プロンプタは、手書きが入力されるにつれ、少なくとも１つの図要素を動的に表示する、請求項１３に記載の非一時的コンピュータ可読媒体。
【請求項１５】
前記動的プロンプタは、少なくとも１つのインタラクティブプロンプタ要素を含み、前記少なくとも１つの非一時的コンピュータ可読媒体は、前記少なくとも１つのインタラクティブプロンプタ要素とのインタラクションを受け取ることに応答してアクションメニューを表示するように構成される、請求項１３に記載の非一時的コンピュータ可読媒体。
【請求項１６】
前記方法は、アイコン形態で非テキスト要素の前記描写を表示するステップを含む、請求項１３に記載の非一時的コンピュータ可読媒体。
【請求項１７】
前記非テキスト要素は、前記図の形状要素であり、前記アイコンは、前記形状を描写する、請求項１６に記載の非一時的コンピュータ可読媒体。
【請求項１８】
前記方法は、活字組みのインクにおいてテキスト要素の前記描写を表示するステップを含む、請求項１３に記載の非一時的コンピュータ可読媒体。
【請求項１９】
前記非テキストの手描き図要素の前記認識された形態は、前記非テキストの手描き図要素の前記デジタルインクに対して視覚的に強調される、請求項１に記載のシステム。
【請求項２０】
視覚的な強調は、前記非テキストの手描き図要素の前記デジタルインクに対して、前記非テキストの手描き図要素の前記認識された形態をボールドすることで構成される、請求項１９に記載のシステム。
【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
コンピューティングデバイス上でテキスト要素及び非テキスト要素を含む図を手描きするためのシステムであって、
前記コンピューティングデバイスは、入力された手描き図要素を検出及び認識するように構成されたプロセッサを備え、前記プロセッサは、
前記コンピューティングデバイスに関連付けられたディスプレイデバイス上にインタラクティブなデジタルインクにおいて複数の入力された図要素を表示させ、前記図要素は、ジオメトリ形状、コンテナ、コネクタ、又はテキストのうちの１つ又は複数を含み、
前記図要素のうちの１つ又は複数を、各々の図要素のクラス及びタイプに従って前記図要素のうちの他の１つ又は複数に漸進的に関連付け、
１つ又は複数のストロークの各々に対するテキスト、非テキスト、及びジャンク分類の各々に対して要素タイプ確率仮説を構築及び試験することによって、手描き入力の１つ又は複数のストロークをテキスト、非テキスト、又はジャンクとして分類することによって、各々の図要素の前記クラスを識別し、
前記図要素を漸進的に再表示させ、図要素の表示特性は、前記デジタルインクとの１つ又は複数の受け取られたインタラクション、前記１つ又は複数の漸進的な関連付け、及び前記漸進的に関連付けられた図要素に対する前記１つ又は複数のインタラクションの位置に基づいて影響される、
システム。
【請求項２】
前記ストロークは、前記入力の空間情報及び時間情報に基づいてグループ化される、請求項１に記載のシステム。
【請求項３】
前記識別されるタイプは、テキスト及び非テキストを含む、請求項１に記載のシステム。
【請求項４】
前記プロセッサは、前記分類されたストロークの前記図要素の認識のために手書き認識システムへ前記分類されたストロークをパースするように構成されている、請求項１に記載のシステム。
【請求項５】
前記プロセッサは、各図要素の前記タイプを、前記認識された図要素、及び前記図要素の間の位置関係に基づいて識別するように構成されている、請求項４に記載のシステム。
【請求項６】
前記表示特性は、１つ又は複数の図要素をサイズ変更すること又は位置付け変更することのうちの少なくとも１つを含む、請求項１に記載のシステム。
【請求項７】
コンピューティングデバイス上でテキスト要素及び非テキスト要素を含む図を手描きするための、前記コンピューティングデバイスによって実行される方法であって、
前記コンピューティングデバイスは、手描き図要素を検出及び認識するように構成されたプロセッサを備え、前記方法は、
前記コンピューティングデバイスに関連付けられたディスプレイデバイス上にインタラクティブなデジタルインクにおいて複数の入力された図要素を表示するステップであって、前記図要素は、ジオメトリ形状、コンテナ、コネクタ、又はテキストのうちの１つ又は複数を含む、ステップと、
前記図要素のうちの１つ又は複数を、各々の図要素のクラス及びタイプに従って前記図要素のうちの他の１つ又は複数に漸進的に関連付けるステップと、
１つ又は複数のストロークの各々に対するテキスト、非テキスト、及びジャンク分類の各々に対して要素タイプ確率仮説を構築及び試験することによって、手描き入力の１つ又は複数のストロークをテキスト、非テキスト、又はジャンクとして分類することによって、各々の図要素の前記クラスを識別するステップと、
前記図要素を漸進的に再表示させるステップであって、図要素の表示特性は、前記デジタルインクとの１つ又は複数の受け取られたインタラクション、前記１つ又は複数の漸進的な関連付け、及び前記漸進的に関連付けられた図要素に対する前記１つ又は複数のインタラクションの位置に基づいて影響される、ステップと、
を含む方法。
【請求項８】
前記ストロークは、前記入力の空間情報及び時間情報に基づいてグループ化される、請求項７に記載の方法。
【請求項９】
前記識別されるタイプは、テキスト及び非テキストを含む、請求項７に記載の方法。
【請求項１０】
前記分類されたストロークの前記図要素の認識のために手書き認識システムへ前記分類されたストロークをパースするステップを含む、請求項７に記載の方法。
【請求項１１】
各図要素の前記タイプを、前記認識された図要素及び前記図要素の間の位置関係に基づいて識別するステップを含む、請求項１０に記載の方法。
【請求項１２】
そこに具現化されたコンピュータ可読プログラムコードを有する非一時的コンピュータ可読媒体であって、
前記コンピュータ可読プログラムコードは、プロセッサによって実行されると、コンピュータデバイスに、前記コンピューティングデバイス上でテキスト要素及び非テキスト要素を含む図を手描きするための方法を実行させ、前記プロセッサは、手描き図要素を検出及び認識するように構成され、前記方法は、
前記コンピューティングデバイスに関連付けられたディスプレイデバイス上にインタラクティブなデジタルインクにおいて複数の入力された図要素を表示するステップであって、前記図要素は、ジオメトリ形状、コンテナ、コネクタ、又はテキストのうちの１つ又は複数を含む、ステップと、
前記図要素のうちの１つ又は複数を、各々の図要素のクラス及びタイプに従って前記図要素のうちの他の１つ又は複数に漸進的に関連付けるステップと、
１つ又は複数のストロークの各々に対するテキスト、非テキスト、及びジャンク分類の各々に対して要素タイプ確率仮説を構築及び試験することによって、手描き入力の１つ又は複数のストロークをテキスト、非テキスト、又はジャンクとして分類することによって、各々の図要素の前記クラスを識別するステップと、
前記図要素を漸進的に再表示させるステップであって、図要素の表示特性は、前記デジタルインクとの１つ又は複数の受け取られたインタラクション、前記１つ又は複数の漸進的な関連付け、及び前記漸進的に関連付けられた図要素に対する前記１つ又は複数のインタラクションの位置に基づいて影響される、ステップと、
を含む非一時的コンピュータ可読媒体。
【請求項１３】
前記ストロークは、前記入力の空間情報及び時間情報に基づいてグループ化される、請求項１２に記載の非一時的コンピュータ可読媒体。
【請求項１４】
前記識別されるタイプは、テキスト及び非テキストを含む、請求項１２に記載の非一時的コンピュータ可読媒体。
【請求項１５】
前記方法は、前記分類されたストロークの前記図要素の認識のために手書き認識システムへ前記分類されたストロークをパースするステップを含む、請求項１２に記載の非一時的コンピュータ可読媒体。
【請求項１６】
前記方法は、各図要素の前記タイプを、前記認識された図要素、及び前記図要素の間の位置関係に基づいて識別するステップを含む、請求項１５に記載の非一時的コンピュータ可読媒体。
【手続補正書】
【提出日】令和1年10月31日(2019.10.31)
【手続補正１】
【補正対象書類名】特許請求の範囲
【補正対象項目名】全文
【補正方法】変更
【補正の内容】
【特許請求の範囲】
【請求項１】
ヒューマン−コンピュータ・インターフェース・システムにおいて装着可能ジェスチャ認識デバイスを使用してジェスチャ指令を生成する方法であって、
前記装着可能ジェスチャ認識デバイスの剛体運動、及び解剖学的特徴の複数の所定の内部又は外部対象の生物学的基準セットに基づき、数学的モデルを提供するステップ；
ユーザの解剖学的特徴の時空間断面をマッピングすることによって、ユーザの複数の対象の前記解剖学的特徴から超音波信号データセットを得るステップ；
前記超音波信号データセットと前記数学的モデルとを相関させることによって、前記対象の所定の特性を識別するステップ；
対象の前記識別した特性に基づき、ユーザの解剖学的特徴の姿勢を推定するステップ、並びに
前記推定した姿勢に基づき、ジェスチャ指令を生成するステップ
を備える方法。
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
エンクロージャを画定するチャンバ本体と、
前記エンクロージャ内に配置され、ガスクッションを備える基板位置決めアセンブリと、
前記エンクロージャ内で前記基板位置決めアセンブリの周りに配置された作動される基板位置合わせアセンブリと、
前記基板位置決めアセンブリに係合するように配置された、複数のブレーキピンを備えるブレーキアセンブリと
を備えるロードロックチャンバ。
【請求項２】
前記基板位置決めアセンブリが、ベアリングプレートと、前記ベアリングプレートに結合された複数の支持ピンであって、各支持ピンが、軟らかい先端部を有する、複数の支持ピンと、前記ベアリングプレートを支持するように配置されたガスクッション部材とを備える、請求項１に記載のロードロックチャンバ。
【請求項３】
前記基板位置合わせアセンブリが、位置合わせ支持体と、前記位置合わせ支持体に接続された位置合わせ部材とを備える、請求項１に記載のロードロックチャンバ。
【請求項４】
前記位置合わせ支持体が、第１の端部および第２の端部を有する軸方向部と、前記位置合わせ部材を前記位置合わせ支持体に接続する前記第１の端部からの延長部と、前記第２の端部から延びるシェルフとを含む、請求項３に記載のロードロックチャンバ。
【請求項５】
前記シェルフ上に取り外し可能に配置されたキャリアをさらに備え、前記キャリアおよびシェルフが、マッチング位置合わせ機構を有する、請求項４に記載のロードロックチャンバ。
【請求項６】
前記ブレーキアセンブリがさらに、ブレーキ支持体と、前記チャンバ本体の壁の複数の開口部の周りに配置されたシール部材と、前記ブレーキ支持体に結合されたアクチュエータとを備え、前記複数のブレーキピンが、前記複数の開口部を通って配置され、前記ブレーキ支持体に結合されている、請求項１に記載のロードロックチャンバ。
【請求項７】
前記基板位置合わせアセンブリが、位置合わせ支持体と、前記位置合わせ支持体に接続された位置合わせ部材と、前記チャンバ本体の壁の開口部を通って配置され、前記位置合わせ支持体に結合されたポジショナと、前記ポジショナに結合されたアクチュエータとを備える、請求項１に記載のロードロックチャンバ。
【請求項８】
前記位置合わせ部材が、リングの少なくとも一部であり、前記位置合わせ部材の内半径に配置された複数の位置合わせピンを含み、各位置合わせピンが、傾斜した内側エッジを有する、請求項７に記載のロードロックチャンバ。
【請求項９】
エンクロージャを画定するチャンバ本体と、
前記エンクロージャ内に配置され、ガスクッションを備える基板位置決めアセンブリと、
前記エンクロージャ内で前記基板位置決めアセンブリの周りに配置された作動される基板位置合わせアセンブリであって、
位置合わせ支持体と、
前記位置合わせ支持体に接続された位置合わせ部材であって、内半径と、前記内半径に配置された複数の位置合わせピンとを有する位置合わせ部材と
を備える基板位置合わせアセンブリと、
前記基板位置決めアセンブリに係合するように配置された、複数のブレーキピンを備えるブレーキアセンブリと
を備えるロードロックチャンバ。
【請求項１０】
前記ブレーキアセンブリがさらに、ブレーキ支持体と、前記ブレーキ支持体に結合されたアクチュエータと、前記チャンバ本体の壁の複数の開口部の周りに配置されたシール部材とを備え、前記複数のブレーキピンが、前記複数の開口部を通って配置され、前記ブレーキ支持体に結合されている、請求項９に記載のロードロックチャンバ。
【請求項１１】
前記基板位置決めアセンブリが、ベアリングプレートと、前記ベアリングプレートに結合された複数の支持ピンであって、前記支持ピンの各々が、軟らかい先端部を有する、複数の支持ピンと、前記ベアリングプレートを支持するように配置されたガスクッション部材とを備える、請求項９に記載のロードロックチャンバ。
【請求項１２】
前記位置合わせアセンブリが、基板位置合わせ位置と基板搬送位置との間で移動するように作動される、請求項９に記載のロードロックチャンバ。
【請求項１３】
前記基板位置合わせアセンブリが、
前記位置合わせ支持体に結合されたポジショナと、
前記ポジショナに結合されたリニアアクチュエータと、
前記ポジショナに結合された横方向の力検出器と
をさらに備える、請求項９に記載のロードロックチャンバ。
【請求項１４】
エンクロージャを画定するチャンバ本体と、
前記エンクロージャ内に配置された基板位置決めアセンブリであって、軟らかい先端部を有する複数の支持ピンと、前記複数の支持ピンに結合されたベアリングプレートと、前記ベアリングプレートを支持するように配置されたガスクッションとを備える基板位置決めアセンブリと、
前記エンクロージャ内で前記基板位置決めアセンブリの周りに配置された作動される基板位置合わせアセンブリであって、
軸方向部と、前記軸方向部の第１の端部における第１の延長部と、前記軸方向部の第２の端部におけるシェルフとを有する位置合わせ支持体と、
前記第１の延長部によって前記位置合わせ支持体に接続された位置合わせ部材であって、内半径と、前記内半径に配置された複数の位置合わせピンとを有し、各位置合わせピンが、傾斜した内側エッジを有する、位置合わせ部材と、
前記位置合わせ支持体に結合されたポジショナと、
前記ポジショナに結合されたアクチュエータと
を備える基板位置合わせアセンブリと、
前記基板位置決めアセンブリに係合するように配置されたブレーキアセンブリであって、前記チャンバ本体の壁の複数の開口部を通って配置され、ブレーキ支持体に結合された複数のブレーキピンと、前記ブレーキ支持体に結合されたアクチュエータと、前記複数の開口部の周りに配置されたシール部材とを備えるブレーキアセンブリと
を備えるロードロックチャンバ。
【請求項１５】
前記シェルフ上に取り外し可能に配置されたキャリアをさらに備える、請求項１４に記載のロードロックチャンバ。
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
前面に形成された装置を有する基板を処理するための方法であって、
前記基板の裏側に非金属の膜を堆積し、その後
前記膜内のストレインを調節するために前記基板の前記裏側をレーザアニールし、その後、
前記膜内のストレインを調節するために前記基板の前記裏側に注入を行う
ことを含む方法。
【請求項２】
前記膜が、５０ｎｍと１００ｎｍとの間の深さで堆積される、請求項１に記載の方法。
【請求項３】
前記膜の領域が、前記基板の前記前面のダイに対応する、請求項２に記載の方法。
【請求項４】
前記膜が、前記基板内へと溶解又は拡散する、請求項１に記載の方法。
【請求項５】
前記レーザアニールすることが、スポットアニールであり、前記スポットアニールが、応力のパターンを生成するために前記基板の前記裏側の選択された位置で行われる、請求項１に記載の方法。
【請求項６】
前記基板の前記裏側をエッチングすることと、
パターニングのために前記基板を位置合わせすることと、
前記基板における歪みを位置特定することと、
前記基板を平らにすることにより、前記歪みを補うことと
をさらに含む、請求項１に記載の方法。
【請求項７】
前記膜が、窒化物、アモルファスカーボン、又は金属シリサイドのうちの１つを含む、請求項１に記載の方法。
【請求項８】
前面に形成された装置を有する基板を処理するための方法であって、
基板内のストレインを調節するために、前記基板の裏側をレーザアニールし、その後
基板内のストレインを調節するために、前記基板の前記裏側に注入を行い、その後
前記基板の前記裏側をエッチングし、その後
パターニングのために前記基板を位置合わせする
ことを含む方法。
【請求項９】
５０ｎｍと１００ｎｍとの間の深さで、膜を前記基板の前記裏側に堆積することをさらに含む、請求項８に記載の方法。
【請求項１０】
前記膜の領域が、前記基板の前記前面のダイに対応する、請求項９に記載の方法。
【請求項１１】
前記膜が、前記基板内へと溶解又は拡散する、請求項９に記載の方法。
【請求項１２】
前記アニールすることが、スポットアニールであり、前記スポットアニールが、前記基板の前記裏側の選択された位置で行われる、請求項８に記載の方法。
【請求項１３】
前記レーザアニールすることが、ナノ秒アニール処理又はミリ秒アニール処理である、請求項８に記載の方法。
【請求項１４】
前記基板における歪みを位置特定することと、
前記基板を平らにすることにより、前記歪みを補うことと
をさらに含む、請求項８に記載の方法。
【請求項１５】
基板を処理するためのツールであって、
前記基板の裏側に複数の膜層を堆積するための堆積チャンバ、
前記基板の前記裏側の前記複数の膜層をアニールするためのレーザアニールチャンバであって、基板端部支持体を備えている、レーザアニールチャンバ、
前記基板の前記裏側をエッチングするためのエッチングチャンバであって、基板端部支持体を備えている、エッチングチャンバ、及び
前記基板を、前記堆積チャンバと、前記アニールチャンバと、前記エッチングチャンバとの間で移送するために動作可能に接続された移送チャンバ
を備えているツール。
【手続補正書】
【提出日】令和1年10月15日(2019.10.15)
【手続補正１】
【補正対象書類名】特許請求の範囲
【補正対象項目名】全文
【補正方法】変更
【補正の内容】
【特許請求の範囲】
【請求項１】
少なくとも、メモリからの命令を実行するためのプロセッサを含むコンピューティングデバイスが実施する方法であって、
顧客に対応付けられた数値デモグラフィック属性データ、カテゴリーデモグラフィック属性データ、およびターゲット属性データを有し、コンピュータ化されたメモリに格納されたコンピュータ化されたデータ構造を、少なくとも１つのプロセッサを介して読み出すステップと、
一致属性データを形成するために、前記少なくとも１つのプロセッサを介して、前記数値デモグラフィック属性データおよび前記カテゴリーデモグラフィック属性データを、前記ターゲット属性データの少なくとも一部に基づいて、同じ数値尺度に変換するステップとを含み、前記一致属性データは、前記一致属性データに対してクラスター分析を行うステップと互換性のあるフォーマットであり、前記方法は、さらに、
前記顧客をセグメント化したものを表すセグメント化された顧客データを生成するために、前記少なくとも１つのプロセッサを介して、前記一致属性データに対して前記クラスター分析を行うステップと、
前記セグメント化された顧客データを含む電子メッセージを生成するステップと、
リモートコンピューティングシステムに少なくとも１つのエンタープライズ機能を実行させるために、ネットワーク通信を介して、前記リモートコンピューティングシステムに前記電子メッセージを送信するステップとを含む、方法。
【請求項２】
最終的な顧客グループを生成するために、前記セグメント化された顧客データに対してアグリゲーションプロセスを実行するステップをさらに含む、請求項１に記載の方法。
【請求項３】
前記少なくとも１つのエンタープライズ機能は、在庫配分機能、需要予測機能、またはマーケットセグメンテーション機能、のうちの少なくとも１つを含む、請求項１または２に記載の方法。
【請求項４】
前記ターゲット属性データは、売上データを含む、請求項１から３のいずれか１項に記載の方法。
【請求項５】
前記数値デモグラフィック属性データは、前記顧客に対応付けられた年齢データ、世帯規模データ、および所得水準データのうちの少なくとも１つを含む、請求項１から４のいずれか１項に記載の方法。
【請求項６】
前記カテゴリーデモグラフィック属性データは、前記顧客に対応付けられた職業データ、性別データ、および資格データのうちの少なくとも１つを含む、請求項１から５のいずれか１項に記載の方法。
【請求項７】
前記リモートコンピューティングシステムは、統合基幹業務システムを含む、請求項１から６のいずれか１項に記載の方法。
【請求項８】
前記リモートコンピューティングシステムは、在庫管理‐需要予測システムを含む、請求項１から７のいずれか１項に記載の方法。
【請求項９】
前記変換するステップは、変形デモグラフィック属性データを生成するために、前記カテゴリーデモグラフィック属性データを非数値形式から数値形式に変形するステップを含む、請求項１から８のいずれか１項に記載の方法。
【請求項１０】
前記変換するステップは、前記数値デモグラフィック属性データおよび前記変形デモグラフィック属性データに対応付けられた値を重み付けするステップを含む、請求項９に記載の方法。
【請求項１１】
少なくとも１つのメモリに接続されたプロセッサと、
非一時的なコンピュータ読み取り可能な媒体に格納された命令を含むビジュアルユーザインターフェースモジュールとを備え、前記命令は、前記プロセッサによって実行されると、顧客に対応付けられた数値デモグラフィック属性データ、カテゴリーデモグラフィック属性データ、およびターゲット属性データの読み出しを前記プロセッサに容易にさせ、さらに、
前記非一時的なコンピュータ読み取り可能な媒体に格納された命令を含み、前記カテゴリーデモグラフィック属性データを非数値形式から数値形式に変形することによって変形デモグラフィック属性データを生成するように構成されたカテゴリー変形モジュールと、
前記非一時的なコンピュータ読み取り可能な媒体に格納された命令を含み、一致属性データを形成するために、前記ターゲット属性データの少なくとも一部に基づいて、前記数値デモグラフィック属性データおよび前記変形デモグラフィック属性データを同じ数値尺度に変換するように構成された尺度変換モジュールとを備え、前記一致属性データは、クラスター分析を行うステップと互換性のあるフォーマットであり、さらに、
前記非一時的なコンピュータ読み取り可能な媒体に格納された命令を含み、前記顧客をセグメント化したものを表すセグメント化された顧客データを生成するために前記一致属性データに対して前記クラスター分析を行うように構成されたクラスター分析モジュールとを備え、
前記ビジュアルユーザインターフェースモジュールは、さらに、
前記セグメント化された顧客データを含む電子メッセージを生成し、
リモートコンピューティングシステムに少なくとも１つのエンタープライズ機能を実行させるために、ネットワーク通信を介して前記リモートコンピューティングシステムに前記電子メッセージを送信するように構成される、コンピューティングシステム。
【請求項１２】
前記数値デモグラフィック属性データ、前記カテゴリーデモグラフィック属性データ、および前記ターゲット属性データを少なくとも格納するように構成されたデータベース装置をさらに備える、請求項１１に記載のコンピューティングシステム。
【請求項１３】
前記セグメント化された顧客データは、前記ターゲット属性データに基づいた前記顧客をセグメント化したものを表す、請求項１１または１２に記載のコンピューティングシステム。
【請求項１４】
前記ターゲット属性データは、売上データを含む、請求項１１から１３のいずれか１項に記載のコンピューティングシステム。
【請求項１５】
前記少なくとも１つのエンタープライズ機能は、在庫配分機能、需要予測機能、またはマーケットセグメンテーション機能、のうちの少なくとも１つを含む、請求項１１から１４のいずれか１項に記載のコンピューティングシステム。
【請求項１６】
請求項１から１０のいずれか１項に記載の方法をコンピュータに実行させるためのプログラム。
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
集積回路であって、
Ｒ−２Ｒ抵抗器ラダーを通じて複数の周辺デバイスに結合可能な前記集積回路の信号端子において受け取られた電圧を、複数の周辺デバイスに対応する複数の割り込みビットへとデジタル化するように構成されるアナログデジタルコンバータを備え、ここにおいて、各割り込みビットが、対応する周辺デバイスの割り込み状態を示すバイナリ値を有する点を特徴とし、
前記周辺デバイスのうちの少なくとも１つが前記割り込み状態にあるかどうかを識別するために、前記複数の割り込みビットを処理するように構成される論理回路と、
前記割り込み状態にある前記少なくとも１つの周辺デバイスのアイデンティフィケーションに応答して、プロセッサに割り込むように構成される割り込みインタフェースと、
前記Ｒ−２Ｒラダーの接地端部の接地端部電圧をモニタするように構成された接地端子と、
内部ノードの電圧を基準電圧と比較するように構成される差動増幅器と、
前記内部ノードの前記電圧が前記基準電圧に等しいデフォルト状態の間、前記接地端子を前記内部ノードに結合するように構成される３端子スイッチと、
前記内部ノードの前記電圧が前記基準電圧より小さいことに応答して、前記接地端子を接地に結合させるように前記３端子スイッチを駆動するように構成されるコントローラと、
によって特徴付けられる、集積回路。
【請求項２】
前記プロセッサが前記集積回路内に統合された、請求項１に記載の集積回路。
【請求項３】
前記プロセッサが前記集積回路の外部にあり、
電力管理集積回路をさらに備える、請求項１に記載の集積回路。
【請求項４】
前記複数の割り込みビットを記憶するように構成されたレジスタをさらに備える、請求項１に記載の集積回路。
【請求項５】
前記論理回路がＡＮＤゲートを備える、請求項１に記載の集積回路。
【請求項６】
前記コントローラが、前記内部ノードの前記電圧が前記基準電圧より小さいことに応答して、前記アナログデジタルコンバータをイネーブルするようにさらに構成される、請求項１に記載の集積回路。
【請求項７】
前記基準電圧が電源電圧である、請求項１に記載の集積回路。
【請求項８】
信号端子と、
前記電圧信号を提供するために、前記信号端子において受け取られる各周辺デバイスからのデジタル寄与を合計するように構成される加算増幅器と、
をさらに備える、請求項１に記載の集積回路。
【請求項９】
前記加算増幅器が、可変フィードバック抵抗を有する可変フィードバック抵抗器を含み、ここにおいて、前記コントローラは前記可変フィードバック抵抗を変えるようにさらに構成される、請求項８に記載の集積回路。
【請求項１０】
方法であって、
請求項１に記載のホスト集積回路において、Ｒ−２Ｒ抵抗器ラダーを通して複数の周辺デバイスに結合された信号端子において、電圧信号を受け取ることと、ここにおいて、前記電圧信号は、各周辺デバイスが割り込みする状態であるかまたはデフォルト状態にあるかに応じたバイナリの重み付けされたデジタル値を有する、
前記受け取られた電圧信号を前記デジタル値に比例するアナログ電圧信号に変換することと、
前記アナログ電圧信号を前記複数の周辺デバイスに対応する複数の割り込みビットへとデジタル化することと、
前記周辺デバイスのうちの少なくとも１つが前記割り込みする状態にあるかどうかを識別するために、前記割り込みビットを処理することと、
接地端部電圧が基準電圧より小さいかどうかを決定するために、前記Ｒ−２Ｒラダーの接地端部の前記接地端部電圧をモニタすることと、
前記接地端部電圧が前記基準電圧より小さいという決定に応答して、前記Ｒ−２Ｒラダーの前記接地端部を接地することと、
を備える、方法。
【請求項１１】
前記少なくとも１つの割り込みしている周辺デバイスのアイデンティティを用いてプロセッサに割り込みすること
をさらに備える、請求項１０に記載の方法。
【請求項１２】
前記受け取られた電圧信号をアナログ電圧信号に変換することは、加算増幅器において前記受け取られた電圧信号を増幅することを備える、請求項１０に記載の方法。
【請求項１３】
前記接地端部電圧をモニタすることは、差動増幅器を通して前記接地端部電圧をモニタすることを備える、請求項１０に記載の方法。
【請求項１４】
前記割り込みビットを処理することは、論理ＡＮＤ演算を備える、請求項１０に記載の方法。
【請求項１５】
前記プロセッサに割り込みすることは、前記ホスト集積回路内の前記プロセッサに割り込みすることを備える、または、
前記プロセッサに割り込みすることは、前記ホスト集積回路の外部にある前記プロセッサに割り込みすることを備える、請求項１１に記載の方法。
【手続補正書】
【提出日】令和1年10月31日(2019.10.31)
【手続補正１】
【補正対象書類名】特許請求の範囲
【補正対象項目名】全文
【補正方法】変更
【補正の内容】
【特許請求の範囲】
【請求項１】
体液を診断するための装置であって、前記装置は、
ａ）上部が下部に向かって垂直にスライド可能である、上部及び下部と、
ｂ）流体を採取するのに適する上方主分室と、
ｃ）一時保存分室１２６と、
ｄ）１以上の診断ストリップを有する下方診断分室と、
ｅ）診断段階が開始される前において前記一時保存分室と前記下方診断分室の間の流体接続を塞ぐのに適し、かつ、診断段階が開始されたときは前記一時保存分室と前記上方主分室の間の流体接続を塞ぐのに適する弁と
を有する装置。
【請求項２】
前記体液は尿である、請求項１に記載の装置。
【請求項３】
前記下方分室の壁は少なくとも部分的に透明であり、これにより前記診断ストリップ内における色の変化の目視検査を可能にする、請求項１に記載の装置。
【請求項４】
前記診断ストリップは１以上の区画を有し、各々の前記区画はそれぞれ異なる物質の層で被覆され、かつ、各々の前記層は前記体液の特定物質または組成に対してそれぞれ異なる反応を示す、請求項１に記載の装置。
【請求項５】
前記体液の前記下方分室への前記流れは重力の結果として生ずる、請求項１に記載の装置。
【請求項６】
前記体液の供与量は、前記一時保存分室の容積によって事前決定されている、請求項１に記載の装置。
【請求項７】
前記下方分室における前記診断ストリップは水平である、請求項１に記載の装置。
【請求項８】
実質的に円筒形状である、請求項１に記載の装置。
【請求項９】
前記下方分室の一部が部分的に平坦であり、スキャナによる前記診断ストリップの読み取りを容易にする、請求項１に記載の装置。
【請求項１０】
前記装置は、さらに、前記上方分室において、体液の供与量を真空試験管または他の試験装置内に、前記装置の前記蓋を開けることなく取り出すための手段を有する、請求項１に記載の装置。
【請求項１１】
前記一時保存分室は、前記診断ストリップに作用するのに十分な比較的少量の液体を保持するのに適している、請求項１に記載の装置。
【請求項１２】
前記装置は、さらに、底部の分室を有しており、前記診断分室と前記底部の分室の間の流量が流量調整弁によって調節されている、請求項１１に記載の装置。
【請求項１３】
前記流量調整弁は小径の開口または通路である、請求項１２に記載の装置。
【請求項１４】
前記流量調整弁は、前記診断ストリップの全長に液体が流れる時間を７秒を超えない期間に制限するのに適している、請求項１２に記載の装置。
【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
装置によって実行される、第1のデバイスと第2のデバイスとを互いに区別するための方法であって、前記第1のデバイスは、第1の位置センサ及び第1の方向センサを備え、第2のデバイスは、第2の位置センサ及び第2の方向センサを備え、当該方法は、
前記第1の位置センサから第1の位置情報を受けるステップであって、前記第1の位置情報は、前記第1のデバイスの第1の位置を規定するよう構成されている、ステップと、
前記第2の位置センサから第2の位置情報を受けるステップであって、前記第2の位置情報は、前記第2のデバイスの位置を規定する第2の位置を規定するよう構成されている、ステップと、
前記第1の方向センサから第1の方向情報を受けるステップであって、前記第1の方向情報は、前記第1のデバイスの第1の方向を規定するよう構成されている、ステップと、
前記第2の方向センサから第2の方向情報を受けるステップであって、前記第2の方向情報は、前記第2のデバイスの第2の方向を規定するよう構成されている、ステップと、
前記第1のデバイスと前記第2のデバイスとを互いに区別するために前記第1の方向情報及び前記第2の方向情報を分析するステップと、
を含む、方法。
【請求項２】
規定された前記第1の位置及び前記第2の位置は、前記第1のデバイスと前記第2のデバイスとを区別するには不十分であるように異なる、請求項1に記載の方法。
【請求項３】
第1の負荷を駆動するための第1のデバイスであって、当該第1のデバイスは、
前記第1の負荷に結合されるよう構成され、前記第1の負荷を駆動するよう構成される、第1のドライバと、
前記第1のドライバに結合され、前記第1のドライバを制御するよう構成される、第1のコントローラと、
を備え、
前記第1のコントローラは、第1の位置センサから第1の位置信号を受信するよう構成され、前記第1の位置信号は、当該第1のデバイスの第1の位置を規定するよう構成され、前記第1のコントローラは、第1の方向センサから第1の方向信号を受信するよう構成され、前記第1の方向信号は、当該第1のデバイスの第1の方向を規定するよう構成され、
前記第1のコントローラは、前記第1の方向信号を当該第1のデバイスと第2のデバイスとを互いに区別するための装置に転送するよう構成され、
前記第1の位置センサは、前記第1のコントローラに結合され、
前記第1の方向センサは、前記第1のコントローラに結合される、第1のデバイス。
【請求項４】
前記第1の方向センサは、太陽からの入射光を検出するよう構成される第1の光検出器を備え、前記第1の光検出器は、第1のマルチフィールド光検出器又は他の種類の第1の光検出器を含む、請求項3に記載の第1のデバイス。
【請求項５】
前記第1の方向センサは、前記第1の光検出器の一部に影を作るよう構成される第1の影生成器を備える、請求項4に記載の第1のデバイス。
【請求項６】
第1の発光エレメントを含む第1の負荷を備える、請求項3に記載の第1のデバイス。
【請求項７】
請求項3乃至6のいずれか一項に記載の第1のデバイスを含み、第2の負荷を駆動するための第2のデバイスを含むシステムであって、前記第2のデバイスは、
前記第2の負荷に結合されるよう構成され、前記第2の負荷を駆動するよう構成される、第2のドライバと、
前記第2のドライバに結合され、前記第2のドライバを制御するよう構成される、第2のコントローラと、
を備え、
前記第2のコントローラは、第2の位置センサから第2の位置信号を受信するよう構成され、前記第2の位置信号は、前記第2のデバイスの第2の位置を規定するよう構成され、前記第2のコントローラは、第2の方向センサから第2の方向信号を受信するよう構成され、前記第2の方向信号は、前記第2のデバイスの第2の方向を規定するよう構成され、
前記第2のコントローラは、前記第2の方向信号を前記第1のデバイスと前記第2のデバイスとを互いに区別するための装置に転送するよう構成され、
前記第2の位置センサは、前記第2のコントローラに結合され、
前記第2の方向センサは、前記第2のコントローラに結合され、
当該システムは、前記第1の方向信号及び前記第2の方向信号を分析することにより前記第1のデバイスと前記第2のデバイスとを互いに区別するための装置を含み、前記第1の方向信号及び前記第2の方向信号は、互いに異なる、システム。
【請求項８】
前記第2の方向センサは、太陽からの入射光を検出するよう構成される第2の光検出器を備え、前記第2の光検出器は、第2のマルチフィールド光検出器又は他の種類の第2の光検出器を含む、請求項7に記載のシステム。
【請求項９】
前記第2の方向センサは、前記第2の光検出器の一部に影を作るよう構成される第2の影生成器を備える、請求項8に記載のシステム。
【請求項１０】
第1のデバイス及び第2のデバイスをコミッショニングするよう構成され、前記第1のデバイスと前記第2のデバイスとを互いに区別するよう構成される装置であって、
第1の位置センサから第1の位置情報を受けるよう構成され、第2の位置センサから第2の位置情報を受けるよう構成され、第1の方向センサから第1の方向情報を受けるよう構成され、第2の方向センサから第2の方向情報を受けるよう構成される、受信機であって、前記第1の位置情報は、前記第1のデバイスの第1の位置を規定するよう構成され、前記第2の位置情報は、前記第2のデバイスの位置を規定する第2の位置を規定するよう構成され、前記第1の方向情報は、前記第1のデバイスの第1の方向を規定するよう構成され、前記第2の方向情報は、前記第2のデバイスの第2の方向を規定するよう構成される、受信機と、
前記第1の方向情報及び前記第2の方向情報を分析するよう構成される分析器と、
を備える、装置。
【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
チャネル（３）を通流する１ｂａｒよりも高い圧力の炉頂ガス流を処理するプロセスであって、粉末薬剤（２）を過圧下で前記炉頂ガス流内へ噴射する、プロセスにおいて、
前記粉末薬剤を、まず流動化させ、次に前記チャネル内に中央に配置されたインジェクタ（６）を介して前記炉頂ガス流に付加し、
通気出口（２４）を介して通気される流動化ガスの体積を制御することによって、前記粉末薬剤（２）の噴射速度を調整する、プロセス。
【請求項２】
前記粉末薬剤（２）を高炉ガス流内へ半径方向に噴射する、請求項１記載のプロセス。
【請求項３】
前記粉末薬剤（２）は、１つまたは複数の吸収剤および／または１つまたは複数のアルカリ性成分を含む、請求項１または２記載のプロセス。
【請求項４】
前記炉頂ガス流を引き続きろ過する、請求項１から３までのいずれか１項記載のプロセス。
【請求項５】
炉頂ガス流を処理する装置（１）であって、該装置（１）は、流れチャネル（３）と、該流れチャネル内に中央に配置されかつ半径方向に向けられた出口（８）が設けられたインジェクタ（６）とを有し、該インジェクタ（６）は、前記炉頂ガス流における圧力に対して少なくとも１０ｍｂａｒの過圧で前記炉頂ガス流内へ半径方向出口を介して粉末薬剤を吹き付けるように構成された、流動化ガスのための供給部（２８）を備える、粉末薬剤（２）の流動床を収容するためのチャンバ（１４）を有し、前記チャンバ（１４）を前記チャネルの外側の流動化ガス排出部に接続する通気孔（２４）をさらに有し、
前記通気孔（２４）は、前記粉末薬剤がガス流に噴射されたときに前記粉末薬剤の噴射速度を調整するように、通気される流動化ガスの体積を制御するために、調整可能である、装置（１）。
【請求項６】
前記流動化ガスのための供給部は、少なくとも１つのガス透過性の導管（２６）を有する、請求項５記載の装置（１）。
【請求項７】
前記少なくとも１つの導管（２６）は、前記流動床の幅および／または長さにわたって延びている、請求項６記載の装置（１）。
【請求項８】
前記導管（２６）は、焼結された金属またはフィルタメッシュ金属である、請求項６または７記載の装置（１）。
【請求項９】
前記導管（２６）は、引っ込め可能である、請求項６から８までのいずれか１項記載の装置（１）。
【請求項１０】
前記半径方向出口（８）から流れ方向へ延びる下流円錐形セクション（１０）を有する、請求項５から９までのいずれか１項記載の装置（１）。
【請求項１１】
前記半径方向出口（８）から前記流れ方向とは反対方向に延びる上流円錐形セクション（１２）を有する、請求項５から１０までのいずれか１項記載の装置（１）。
【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
全体的なフライを供給するために、全ての食品成分を通って流れる、及び／又は、全ての食品成分の周りを流れる高速熱風フローを用いて前記食品成分を調理するための空気ベースのフライヤであって、前記空気ベースのフライヤは、
前記食品成分を受けるための食品調理チャンバと、
前記食品調理チャンバにおいて空気を加熱するための空気ヒータと、
前記食品調理チャンバにおいて熱風フローを循環させるためのファンと、
前記循環している熱風フローの中に直接流体を導入するための流体インレットと、
を有し、前記食品調理チャンバが、
食品受け入れ空間と、
上部に対向する底部と、前記底部の周りに且つ前記底部と前記上部との間に延在し、前記食品受け入れ空間を規定する内壁と、
前記底部に含まれる空気インレットと、
前記上部に含まれる空気排出開口と、
外壁と、
前記食品受け入れ空間において空気を循環させるための前記外壁と前記内壁との間の循環チャネルと、を有する、空気ベースのフライヤ。
【請求項２】
前記流体インレットから前記熱風フローの中へ導入される流体のフローレートを制御するための流体フローレギュレータを更に有する、請求項１に記載の空気ベースのフライヤ。
【請求項３】
前記流体フローレギュレータが、ポンプを有する、請求項２記載の空気ベースのフライヤ。
【請求項４】
前記流体フローレギュレータが、バルブを有する、請求項２又は３に記載の空気ベースのフライヤ。
【請求項５】
前記流体フローレギュレータを制御するためのコントローラと、前記循環している熱風フローの湿度を示す信号を生成するために前記循環している熱風フロー内に配置されるセンサと、を有し、前記コントローラが、前記信号に応答して、前記流体インレットへの流体のフローレートを調整して所定の湿度範囲を維持するために、前記流体フローレギュレータを制御する、請求項２乃至４のいずれか１項に記載の空気ベースのフライヤ。
【請求項６】
前記空気ヒータが、前記熱風フロー内に導入される流体の塊が前記空気ヒータによって蒸発される流体の塊と同じになるように、前記熱風フローにおいて流体を蒸発させるように構成される、請求項５記載の空気ベースのフライヤ。
【請求項７】
前記流体インレットが、ノズルを有する、請求項１乃至６のいずれか１項に記載の空気ベースのフライヤ。
【請求項８】
前記流体インレットが、前記循環している熱風フローへ流体を散布するためのベンチュリポンプを有する、請求項１乃至７のいずれか１項に記載の空気ベースのフライヤ。
【請求項９】
前記流体インレットから前記循環している熱風フローの中に導入される流体の供給を受けるための容器を有する、請求項１乃至８のいずれか１項に記載の空気ベースのフライヤ。
【請求項１０】
前記流体が、水又は蒸気であり、前記空気ヒータが、１００℃を超える温度、例えば、１２０℃を超える温度、より好ましくは、１３０℃を超える温度を有する過熱蒸気となるまで前記水又は蒸気を加熱するように構成される、請求項１乃至９のいずれか１項に記載の空気ベースのフライヤ。
【請求項１１】
全体的なフライを供給するために、全ての食品成分を通って流れる、及び／又は、全ての食品成分の周りを流れる高速熱風フローを用いて空気ベースのフライヤ内の前記食品成分を調理するための方法であって、前記方法は、
（ａ）調理される食品成分を食品調理チャンバの食品受け入れ空間の中に配置するステップであって、前記食品受け入れ空間は、内壁により規定され、上部に対向する底部と、前記底部の周りに且つ前記底部と前記上部との間に延在し、前記食品受け入れ空間を規定する内壁と、を持ち、前記底部は、空気インレットを含み、前記上部は、空気排出開口を含む、ステップと、
（ｂ）前記食品調理チャンバにおいて空気を加熱するステップと、
（ｃ）前記配置された食品成分を通って、加熱された空気が循環するよう、前記食品調理室前記外壁と前記内壁との間の循環チャネルを介して、加熱された空気のフローを前記食品受け入れ空間内で循環させるステップと、
（ｄ）熱風フローが循環している前記循環チャネルの中に流体を直接導入するステップと、
を有する、方法。
【請求項１２】
（ｅ）前記循環している熱風フローの湿度を感知するステップと、
（ｆ）前記循環している熱風フローの湿度を所定の範囲内に維持するために、前記感知された湿度に依存して、前記流体フローを調整するステップと、を更に有する、請求項１１記載の方法。
【請求項１３】
（ｇ）前記食品調理チャンバから前記食品成分を取り除くステップと、
（ｈ）前記食品調理チャンバにおいて加熱された空気のフローを循環させるステップと、
（ｉ）前記食品調理チャンバを清掃するために、前記循環している熱風フローの中に流体を直接導入するステップと、
を更に有する、請求項１１又は１２に記載の方法。
【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
光学干渉によって光を反射及び透過するミクロ層のただ１つのパケットを有する反射型偏光子であって、前記ミクロ層は、第１の通過軸、第１のブロック軸、並びに前記第１の通過軸及び前記第１のブロック軸と垂直な第１の厚さ軸を規定するように構成されている、反射型偏光子と、
第２の通過軸及び第２のブロック軸を有する吸収型偏光子であって、前記吸収型偏光子は前記反射型偏光子に、それらの間に空気間隙を有することなく、前記第１の通過軸及び前記第２の通過軸が実質的に整列するように取り付けられている、吸収型偏光子と、
を含む積層体であって、
ミクロ層の前記パケットが、交互になった第１のミクロ層及び第２のミクロ層を含み、前記第１のミクロ層は２軸複屈折性であり、
前記反射型偏光子が、単独で、前記第１の通過軸及び前記第１の厚さ軸を含む基準面内で６０度の極角で入射するｐ偏光に対する分光透過率によって特徴付けられ、
（ａ）前記分光透過率は、４５０〜７００ｎｍの少なくとも一部の波長に対して７０％〜９０％の範囲内の値を有し、
（ｂ）４００〜７００ｎｍの波長範囲にわたる高周波スペクトル変動性Δが０．０８未満であり、高周波スペクトル変動性Δがａ０＋ａ１λ＋ａ２λ２＋ａ３λ３の形のベストフィット曲線に対する前記分光透過率の標準偏差である、
積層体。
【請求項２】
光拡散層又は光拡散構造体が、前記反射型偏光子と前記吸収型偏光子との間に配置されていない、請求項１に記載の積層体。
【請求項３】
前記積層体が、光拡散層又は光拡散構造体を全く有しない、請求項１に記載の積層体。
【請求項４】
前記反射型偏光子と前記吸収型偏光子との間に配置された光拡散層又は光拡散構造体を更に含み、前記光拡散層又は光拡散構造体は３０％未満のヘイズを有する、請求項１に記載の積層体。
【請求項５】
前記積層体が、ガラス層を更に含み、前記吸収型偏光子が、前記積層体内において前記反射型偏光子と前記ガラス層との間に配置されている、請求項１に記載の積層体。
【請求項６】
前記ガラス層が、液晶ディスプレイ（ＬＣＤ）パネルの一部である、請求項５に記載の積層体。
【請求項７】
４００〜７００ｎｍの前記波長範囲にわたるΔが、０．０５未満である、請求項１に記載の積層体。
【請求項８】
４００〜７００ｎｍの前記波長範囲にわたるΔが、少なくとも０．０１である、請求項７に記載の積層体。
【請求項９】
前記基準面内で６０度の極角で入射するｐ偏光に対する前記分光透過率が、４００〜５００ｎｍの波長範囲全体にわたって９０％未満である、請求項１に記載の積層体。
【請求項１０】
前記反射型偏光子が、５０ミクロン未満の物理的厚さを有する、請求項１に記載の積層体。